(57)【要約】【課題】防水性に優れた電気接続箱を提供する。【解決手段】電気接続箱１は、電気部品が装着される本体部２と、本体部２を覆うロアカバー３とを備えている。ロアカバー３の外壁３１には、ワイヤハーネス５の端末を通す通し孔７が設けられているとともに、本体部２の外壁２１には、ロアカバー３寄りの縁２２からロアカバー３側に向かって延び、かつ、断面蛇腹状に形成された伸縮片８Ａが設けられている。電気接続箱１は、通し孔７にワイヤハーネス５が通されたロアカバー３が本体部２に取り付けられると、伸縮片８Ａの縁２２から離れた側に位置する自由端側がワイヤハーネス５の外表面に当接して、ワイヤハーネス５と通し孔７との間の隙間を埋める。【選択図】図１
2006345616.tif 000002
【特許請求の範囲】
【請求項１】
ワイヤハーネスの端末を通す通し孔を設けた箱本体を備えた電気接続箱であって、
前記通し孔の内縁から該通し孔の中央に向かって延び、かつ、断面蛇腹状に形成されているとともに、前記通し孔内に通されたワイヤハーネスに当接可能な伸縮片を備えたことを特徴とする電気接続箱。
【請求項２】
さらに、前記伸縮片が、前記通し孔の内縁に連なった固定端から前記通し孔の中央寄りの自由端に向かうに従って徐々に前記電気接続箱の外側に向かって延びていることを特徴とする請求項１に記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ（図７及び図８に示し、例えば特許文献１参照）。
【０００５】
図７及び図８に例示された電気接続箱１０１は、外郭を形成する本体部１０２と、本体部１０２に取り付けられるロアカバー１０３などを備えている。図７の上側に位置する本体部１０２の上面１０２ａには、前述したリレー、ヒューズやヒュージブルリンクなどの電気部品が装着される装着部が複数設けられている。また、本体部１０２の前記装着部の裏側に位置する下面１０２ｂには、前述した自動車に配索されるワイヤハーネス１０５のコネクタ１０６が嵌合する。さらに、本体部１０２は、前述した電気部品とワイヤハーネス１０５のコネクタ１０６とを予め定められたパターンにしたがって接続するバスバなどを収容している。ロアカバー１０３には、本体部１０２寄りの縁に向かって開口した通し孔１０７が設けられている。ロアカバー１０３は、通し孔１０７内にワイヤハーネス１０５が通されるとともに、本体部１０２の下面１０２ｂ側に取り付けられて、前述したワイヤハーネス１０５のコネクタ１０６などを覆う。
【０００６】
このような電気接続箱１０１は、電源から供給される電力を、本体部１０２に収容されたバスバ、ヒュージブルリンク、ワイヤハーネス１０５の電線などを介して前述したヘッドランプ等の電子機器に供給する。
【特許文献１】実開昭６３−９０９２０号公報
【発明の開示】
【発明が解決しようとする課題】
【０００７】
しかしながら、特許文献１に示された電気接続箱１０１は、通し孔１０７と該通し孔１０７内を通されるワイヤハーネス１０５との間に隙間が生じるため、該隙間から電気接続箱１０１の内部に水が侵入し易いという問題があった。
【０００８】
従って、本発明は、通し孔から電気接続箱内部に水が侵入することを防止できる電気接続箱を提供することをその目的とする。
【課題を解決するための手段】
【０００９】
前記課題を解決し目的を達成するために、請求項１に記載の本発明の電気接続箱は、ワイヤハーネスの端末を通す通し孔を設けた箱本体を備えた電気接続箱であって、前記通し孔の内縁から該通し孔の中央に向かって延び、かつ、断面蛇腹状に形成されているとともに、前記通し孔内に通されたワイヤハーネスに当接可能な伸縮片を備えたことを特徴としている。
【００１０】
請求項２に記載の電気接続箱は、請求項１に記載の電気接続箱において、さらに、前記伸縮片が、前記通し孔の内縁に連なった固定端から前記通し孔の中央寄りの自由端に向かうに従って徐々に前記電気接続箱の外側に向かって延びていることを特徴としている。
【発明の効果】
【００１１】
請求項１に記載の電気接続箱は、蛇腹状の伸縮片が通し孔の内縁から中央に向かって延びていることにより、この伸縮片が通し孔に通されたワイヤハーネスの外表面に当接して、ワイヤハーネスと通し孔との間に生じる隙間を埋めることができる。このため、通し孔から電気接続箱内部に水が侵入することを防止できるとともに、ワイヤハーネスが通し孔内で暴れることを防止できる。また、このような伸縮片を備えた電気接続箱は、伸縮片が伸縮自在であるため、ワイヤハーネスを傷つけることがない上に、太さの異なるワイヤハーネスにも幅広く対応できる。
【００１２】
請求項２に記載の電気接続箱は、伸縮片が、通し孔の内縁に連なった固定端から自由端に向かうに従って徐々に電気接続箱の外側に向かって延びていることにより、伸縮片の自由端側が通し孔から電気接続箱の内側に巻き込まれることを防止できて、電気接続箱内部に水が侵入することをさらに防止できる。
【発明を実施するための最良の形態】
【００１３】
以下、本発明の第１の実施形態にかかる電気接続箱を、図１ないし図３を用いて説明する。図１は、本実施形態にかかる電気接続箱１を示す断面図である。図２は、図１に示した電気接続箱１の要部を示す斜視図である。図３は、図２に示した電気接続箱１の分解斜視図である。本実施形態にかかる電気接続箱１は、移動体としての自動車に搭載されるとともに、電源側から供給される電力をランプやモータなどの負荷側に供給するものである。
【００１４】
電気接続箱１は、図１に示すように、箱本体４と、電源側及び負荷側と接続したワイヤハーネス５と、該ワイヤハーネス５が通される通し孔７と、ワイヤハーネス５と通し孔７との間の隙間を埋める伸縮片８Ａなどを備えている。
【００１５】
箱本体４は、本体部２と、図示しない配線盤と、ロアカバー３とを備えている。本体部２は、絶縁性の合成樹脂からなり、周知の射出成形により成形される。本体部２は、複数の外壁２１により、筒状（箱状）に形成されている。本体部２の図１の上側に位置する上面２ａには、リレー、ヒューズ、ヒュージブルリンクなどの電気部品が装着される装着部が複数設けられている。また、本体部２の上面２ａの裏側に位置する下面２ｂには、前述したワイヤハーネス５のコネクタ６が嵌合する。
【００１６】
配線盤は、導電性のバスバと、絶縁板などを備えている。バスバは、導電性の板金に打ち抜き加工などのプレス加工が施されて得られる。複数のバスバは、互いに重ねられている。絶縁板は、互いに重ねられたバスバ間などに配され、バスバ同士が意図しない箇所で相互に電気的に接続すること即ち短絡することを防止するとともに、バスバを位置決めしている。
【００１７】
配線盤は、本体部２に収容されると、リレー、ヒューズ、ヒュージブルリンクなどの本体部２に装着された電気部品と、ワイヤハーネス５のコネクタ６とを予め定められたパターンにしたがって、互いに電気的に接続する。
【００１８】
ロアカバー３は、絶縁性の合成樹脂からなり、周知の射出成形により成形される。ロアカバー３は、複数の外壁３１により、筒状（箱状）に形成されている。ロアカバー３は、本体部２の下面２ｂ側に取り付けられ、前述したワイヤハーネス５のコネクタ６などを覆う。
【００１９】
通し孔７は、図３などに示すように、ロアカバー３の外壁３１に設けられている。通し孔７は、ロアカバー３即ち箱本体４の内部と外部とを連通した孔であり、該通し孔７にはワイヤハーネス５が通される。
【００２０】
伸縮片８Ａは、本体部２の外壁２１のうち、通し孔７が設けられたロアカバー３の外壁３１と重なる外壁２１に設けられている。該伸縮片８Ａは、外壁２１のロアカバー３寄りの縁２２（特許請求の範囲に記載した、「通し孔の内縁」に相当する。）からロアカバー３側に向かって断面蛇腹状に延設されているとともに、通し孔７を覆う格好に形成されている。即ち、本体部２にロアカバー３が取り付けられた状態で、伸縮片８Ａが、通し孔７の内縁から該通し孔７の中央に向かって延びている。
【００２１】
このような伸縮片８Ａは、通し孔７にワイヤハーネス５が通されたロアカバー３が本体部２に取り付けられると、縁２２から離れた側の自由端が弾性力によってワイヤハーネス５の外表面に当接するとともに、伸縮片８Ａと通し孔７との間にワイヤハーネス５を挟み込む。こうして伸縮片８Ａによってワイヤハーネス５と通し孔７との間の隙間が埋められる。即ち、伸縮片８Ａによって通し孔７が塞がれる。また、上述したように伸縮片８Ａは、蛇腹状に形成されて伸縮自在であるため、ワイヤハーネス５の太さにばらつきがある場合でも（太さの異なるワイヤハーネス５であっても）、そのワイヤハーネス５の太さに応じて伸縮して、該ワイヤハーネス５の外表面に当接することができる。
【００２２】
前述した電気接続箱１は、以下のように組み立てられる。まず、本体部２内にバスバなどが配索された配線盤が収容されて、本体部２の上面２ａ側にリレーやヒュージブルリンクなどの電気部品が装着される。次に、本体部２の下面２ｂ側にワイヤハーネス５のコネクタ６が嵌合されるとともに、該ワイヤハーネス５が通し孔７に通される。そして、本体部２の下面２ｂ側にロアカバー３が取り付けられるとともに、伸縮片８Ａがワイヤハーネス５の外表面に当接して通し孔７を塞ぎ、電気接続箱１が組み立てられる。
【００２３】
このような電気接続箱１は、自動車に搭載されるとともに、オルタネータなどの電源から供給される電力を、バスバ、ヒュージブルリンク、ワイヤハーネスの電線などを介してランプ、モータなどの電子機器に供給する。
【００２４】
本実施形態の電気接続箱１によれば、伸縮片８Ａが通し孔７に通されたワイヤハーネス５の外表面に当接して、ワイヤハーネス５と通し孔７との間に生じる隙間を埋めるため、通し孔７から電気接続箱１内部に水が侵入することを防止できる。また、これと同時に、ワイヤハーネス５が通し孔７内で暴れることを防止できる。さらに、伸縮片８Ａが伸縮自在であるため、ワイヤハーネス５を傷つけることがない上に、太さの異なるワイヤハーネス５にも幅広く対応できる。
【００２５】
次に本発明の第２の実施形態にかかる電気接続箱１を図４及び図５を参照して説明する。図４は、本実施形態にかかる電気接続箱１を示す断面図である。図５は、図４に示した電気接続箱１の要部を示す斜視図である。なお、前述した第１の実施形態と同一部分には、同一符号を付して説明を省略する。
【００２６】
本実施形態にかかる電気接続箱１の伸縮片８Ｂは、図４及び図５に示すように、通し孔７を覆う格好で、本体部２の外壁２１のロアカバー３寄りの縁２２（特許請求の範囲に記載した、「通し孔の内縁」に相当する。）からロアカバー３側に向かって延設されている。即ち、本体部２にロアカバー３が取り付けられた状態で、伸縮片８Ｂが、通し孔７の内縁から該通し孔７の中央に向かって延びている。また、伸縮片８Ｂは、外壁２１と交差する方向に沿って順に、蛇腹状に折り重ねられており、縁２２即ち通し孔７の内縁としての縁２２に連なった固定端から自由端に向かうに従って徐々に電気接続箱１の外側に向かって延びている。
【００２７】
このような伸縮片８Ｂは、通し孔７にワイヤハーネス５が通されたロアカバー３が本体部２に取り付けられると、縁２２から離れた側の自由端が弾性力によってワイヤハーネス５の外表面に当接するとともに、伸縮片８Ｂと通し孔７との間にワイヤハーネス５を挟み込む。こうして伸縮片８Ｂによってワイヤハーネス５と通し孔７との間の隙間が埋められる。即ち、伸縮片８Ｂによって通し孔７が塞がれる。
【００２８】
本実施形態の電気接続箱１によれば、伸縮片８Ｂが、通し孔７の内縁に連なった固定端から自由端に向かうに従って徐々に電気接続箱１の外側に向かって延びていることにより、伸縮片８Ｂの自由端側が通し孔７から電気接続箱１の内側に巻き込まれることを防止でき、電気接続箱１内部に水が侵入することをさらに防止できる。
【００２９】
次に前述した第２の実施形態にかかる電気接続箱１の変形例を図６を参照して説明する。なお、前述した第１及び第２の実施形態と同一部分には、同一符号を付して説明を省略する。
【００３０】
本発明の第２の実施形態の電気接続箱１では伸縮片８Ｂが、外壁２１と交差する方向に沿って順に蛇腹状に折り重ねられていたが、図６に示す電気接続箱１の伸縮片８Ｃは、縁２２からロアカバー３側に向かう方向に沿って順に蛇腹状に折り重ねられ、かつ、縁２２即ち通し孔７の内縁としての縁２２に連なった固定端から自由端に向かうに従って徐々に電気接続箱１の外側に向かって延びている。このように、本発明では、伸縮片８Ａ，８Ｂ，８Ｃの折り重なり方向には限定されず、伸縮片８Ａ，８Ｂ，８Ｃが通し孔７の内縁から該通し孔７の中央に向かって伸縮自在に形成されていれば良い。
【００３１】
なお、前述した第1及び第２の実施形態と、第２の実施形態の変形例では、通し孔７をロアカバー３側に設けていたが、本発明の電気接続箱１では、通し孔７を本体部２側に設けても良く、ロアカバー３と本体部２とに亘って設けても良い。即ち、ロアカバー３と本体部２とのうち少なくとも一方に通し孔７を設けていれば良い。
【００３２】
さらに、前述した第1及び第２の実施形態と、第２の実施形態の変形例では、伸縮片８Ａ，８Ｂ，８Ｃを本体部２側に設けていたが、本発明の電気接続箱１ではこれに限定されることなく、伸縮片８Ａ，８Ｂ，８Ｃをロアカバー３側に設けても良く、本体部２側とロアカバー３側の双方に設けても良い。また、一つの通し孔７に対して伸縮片８Ａ，８Ｂ，８Ｃを複数設けても良い。要するに本発明の電気接続箱１では、一つの通し孔７に対して伸縮片８Ａ，８Ｂ，８Ｃを少なくとも一つ設けていれば良い。
【００３３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３４】
【図１】本発明の第１の実施形態に係る電気接続箱の断面図である。
【図２】図１に示された電気接続箱の要部を示す斜視図である。
【図３】図２に示された電気接続箱の分解斜視図である。
【図４】本発明の第２の実施形態に係る電気接続箱の断面図である。
【図５】図４に示された電気接続箱の要部を示す斜視図である。
【図６】図４に示された電気接続箱の変形例を示す断面図である。
【図７】従来の電気接続箱を示す断面図である。
【図８】図７に示された電気接続箱の要部を示す斜視図である。
【符号の説明】
【００３５】
１  電気接続箱
４  箱本体
５  ワイヤハーネス
７  通し孔
８Ａ，８Ｂ，８Ｃ  伸縮片
２２  縁（内縁）
【図１】
2006345616.tif 000003
【図２】
2006345616.tif 000004
【図３】
2006345616.tif 000005
【図４】
2006345616.tif 000006
【図５】
2006345616.tif 000007
【図６】
2006345616.tif 000008
【図７】
2006345616.tif 000009
【図８】
2006345616.tif 000010